(57)【特許請求の範囲】
【請求項１】
容器の口部外周面に形成された雄ねじ部に螺合する雌ねじ部を有する筒状外壁部、及び該筒状外壁部の上端を閉塞する天壁部を有する蓋体と、該蓋体に抜け止め保持されたパッキンと、を備え、前記容器の口部への前記筒状外壁部の螺合により前記蓋体を前記口部に装着させることで、前記パッキンによって前記口部を封止する容器用キャップにおいて、
前記パッキンは、前記口部頂面に接触可能な環状壁部と、該環状壁部の内周縁から垂下し、前記口部に締め代なしに挿入される環状足部と、該環状足部の上端内周縁を閉塞する頂壁部と、前記環状足部に形成され、前記蓋体の天壁部に向けて開口する環状凹溝と、を有し、
前記蓋体の天壁部には、前記口部への前記蓋体の装着に伴い、前記パッキンの環状凹溝の外周側側面を圧接して、前記環状足部に前記口部に対する締め代を生じさせる環状中足部が垂設されており、
前記環状中足部の内周側側面には、前記蓋体の開蓋に伴い、前記環状凹溝の内周側側面に形成された凹溝側環状突起と抜け止め可能に係合する中足側環状突起が形成されていることを特徴とする容器用キャップ。
【請求項２】
前記環状凹溝の外周側側面は、前記蓋体の天壁部に向かって径方向外側に傾斜する凹溝側テーパ部を有し、
前記環状中足部の外周側側面は、前記蓋体の天壁部に向かって径方向外側に傾斜する中足側テーパ部を有し、
前記中足側テーパ部は、前記口部への前記蓋体の装着に伴い、前記凹溝側テーパ部に接触することで、前記環状足部に前記口部に対する締め代を生じさせる、請求項１に記載の容器用キャップ。
【請求項３】
前記蓋体の筒状外壁部の内周面には、前記雌ねじ部と前記天壁部との間に、前記パッキンの環状壁部の外周端部と抜け止め可能に係合する外壁側環状突起が形成されており、
前記環状壁部の外周端部と前記外壁側環状突起との間には、前記パッキンの上面と、前記蓋体の天壁部の底面との間の空気を通過させる空気抜き開口部が形成されている、請求項１又は２に記載の容器用キャップ。
【請求項４】
前記パッキンの環状壁部の底面には、前記口部頂面に気密に接触する環状の環状壁側封止突起が形成されており、
前記蓋体の天壁部の底面には、前記パッキンの環状壁部の上面に気密に接触する環状の天壁側封止突起が形成されている、請求項１〜３のいずれか一項に記載の容器用キャップ。
【発明の詳細な説明】
【技術分野】
【０００１】
本発明は、筒状外壁部及び天壁部を有する蓋体と、該蓋体に抜け止め保持されたパッキンと、を備え、筒状外壁部の容器の口部への螺合により蓋体を前記口部に装着させることで、パッキンによって前記口部を封止する容器用キャップに関し、特に、製造工程でのキャッピング（閉蓋）時におけるパッキンと容器の口部との擦れに起因する粉の発生を抑制しようとするものである。
【背景技術】
【０００２】
洗剤や化粧料、食料品などの種々の内容物を収容する例えばポリエチレンテレフタレート（ＰＥＴ）などの合成樹脂製の容器を閉鎖するための従来の容器用キャップとしては、容器の口部に装着される例えばポリプロピレン（ＰＰ）などの合成樹脂製の蓋体の筒状外壁部の内周側に、例えばポリエチレン（ＰＥ）などの合成樹脂製のパッキンを抜け止め保持したものが知られている。
【０００３】
また、このような容器用キャップとして、円板状の頂壁部と、該頂壁部から垂下すると共に前記口部に対して締め代を有する（すなわち、前記口部の内周面の径寸法よりも締め代分だけ大径化させた外周面を有する）インナーリング部と、からなるパッキンを用いるものが知られている（例えば、特許文献１参照）。このような容器用キャップでは、容器の口部への蓋体の装着に伴い、パッキンのインナーリング部の外周面を容器の口部内周面に気密に接触させると共に、パッキンの頂壁部の外周縁底面を容器の口部頂面に気密に接触させることで、前記口部を封止するようにしている。
【先行技術文献】
【特許文献】
【０００４】
【特許文献１】特開平９−１８８３４２号公報
【発明の概要】
【発明が解決しようとする課題】
【０００５】
しかしながら、特許文献１に記載されるような容器用キャップでは、容器の口部に対する蓋体の装着時、特に製造工程でのキャッピング時において、パッキンのインナーリング部の外周面と容器の口部内周面との間の擦れに起因して樹脂の切削粉が発生し、該粉が異物として内容物に混入してしまうおそれがあった。
【０００６】
このため、特許文献１に記載されるような容器用キャップでは、パッキンと前記口部との間の滑りを良くするために、少なくともいずれか一方に、高級脂肪酸アマイド、高級脂肪酸、高級アルコール脂肪酸エステルなどのスリップ剤を添加したり、キャッピング速度を抑えたりすることで、粉の発生を抑制していた。
【０００７】
本発明は、前記の現状に鑑み開発されたもので、容器の口部に対する蓋体の装着時、特に製造工程でのキャッピング時におけるパッキンと容器の口部との擦れに起因する粉の発生を抑制することができる容器用キャップを提供することを目的とする。
【課題を解決するための手段】
【０００８】
すなわち、本発明の要旨構成は以下のとおりである。
１．容器の口部外周面に形成された雄ねじ部に螺合する雌ねじ部を有する筒状外壁部、及び該筒状外壁部の上端を閉塞する天壁部を有する蓋体と、該蓋体に抜け止め保持されたパッキンと、を備え、前記容器の口部への前記筒状外壁部の螺合により前記蓋体を前記口部に装着させることで、前記パッキンによって前記口部を封止する容器用キャップにおいて、
前記パッキンは、前記口部頂面に接触可能な環状壁部と、該環状壁部の内周縁から垂下し、前記口部に締め代なしに挿入される環状足部と、該環状足部の上端内周縁を閉塞する頂壁部と、前記環状足部に形成され、前記蓋体の天壁部に向けて開口する環状凹溝と、を有し、
前記蓋体の天壁部には、前記口部への前記蓋体の装着に伴い、前記パッキンの環状凹溝の外周側側面を圧接して、前記環状足部に前記口部に対する締め代を生じさせる環状中足部が垂設されており、
前記環状中足部の内周側側面には、前記蓋体の開蓋に伴い、前記環状凹溝の内周側側面に形成された凹溝側環状突起と抜け止め可能に係合する中足側環状突起が形成されていることを特徴とする容器用キャップ。
【０００９】
２．前記環状凹溝の外周側側面は、前記蓋体の天壁部に向かって径方向外側に傾斜する凹溝側テーパ部を有し、
前記環状中足部の外周側側面は、前記蓋体の天壁部に向かって径方向外側に傾斜する中足側テーパ部を有し、
前記中足側テーパ部は、前記口部への前記蓋体の装着に伴い、前記凹溝側テーパ部に接触することで、前記環状足部に前記口部に対する締め代を生じさせる、前記１の容器用キャップ。
【００１１】
３．前記蓋体の筒状外壁部の内周面には、前記雌ねじ部と前記天壁部との間に、前記パッキンの環状壁部の外周端部と抜け止め可能に係合する外壁側環状突起が形成されており、
前記環状壁部の外周端部と前記外壁側環状突起との間には、前記パッキンの上面と、前記蓋体の天壁部の底面との間の空気を通過させる空気抜き開口部が形成されている、前記１又は２の容器用キャップ。
【００１２】
４．前記パッキンの環状壁部の底面には、前記口部頂面に気密に接触する環状の環状壁側封止突起が形成されており、
前記蓋体の天壁部の底面には、前記パッキンの環状壁部の上面に気密に接触する環状の天壁側封止突起が形成されている、前記１〜３のいずれかの容器用キャップ。
【発明の効果】
【００１３】
本発明によれば、容器の口部に対する蓋体の装着時、特に製造工程でのキャッピング時においては、パッキンの環状足部が容器の口部に締め代なしに挿入された後に、蓋体の筒状外壁部が前記口部に装着され、該装着に伴い、蓋体の環状中足部がパッキンの環状凹溝の外周側側面を圧接して、パッキンの環状足部に前記口部に対する締め代を生じさせることができるため、蓋体の回転に伴うパッキンの環状足部の外周面と容器の口部内周面との間の擦れの発生を抑制することができる。
【００１４】
したがって、本発明によれば、容器の口部に対する蓋体の装着時、特に製造工程でのキャッピング時におけるパッキンと容器の口部との擦れに起因する粉の発生を抑制することができる容器用キャップを提供することができる。
【図面の簡単な説明】
【００１５】
【図１】本発明の一実施形態に係る容器用キャップを容器に装着させた状態を示す、側面視での半断面図である。
【図２】図１の容器用キャップを示す、側面視での半断面図である。
【図３】図１の容器用キャップの、容器の口部への装着開始時の様子を示す、側面視での半断面図である。
【図４】図１の容器用キャップの、容器の口部への装着中の様子を示す、側面視での半断面図である。
【図５】図１の容器用キャップの、容器の口部への装着完了時の様子を示す、側面視での半断面図である。
【発明を実施するための形態】
【００１６】
以下、図１〜図５を参照して、本発明の一実施形態に係る容器用キャップ１について詳細に例示説明する。
図１に示すように、本実施形態に係る容器用キャップ１は、洗剤や化粧料、食料品などの内容物を収容する例えばポリエチレンテレフタレート（ＰＥＴ）などの合成樹脂製の容器Ｃの口部Ｃ1外周面に形成された雄ねじ部Ｃ2に螺合する雌ねじ部２１ａを有する筒状外壁部２１、及び該筒状外壁部２１の上端を閉塞する天壁部２２を有する蓋体２０と、該蓋体２０に抜け止め保持されたパッキン３０と、を備えている。
【００１７】
そして、容器用キャップ１は、容器Ｃの口部Ｃ1への筒状外壁部２１の螺合により蓋体２０を口部Ｃ1に装着させることで、パッキン３０によって口部Ｃ1を封止するようになっている。蓋体２０は、例えばポリプロピレン（ＰＰ）などの合成樹脂製とし、パッキン３０は、例えばポリエチレン（ＰＥ）などの合成樹脂製とすることができる。なお、本実施形態に係る容器用キャップ１は、特に、ワンカップタイプの酒類広口容器に用いるものとして好適である。
【００１８】
図２及び図３に示すように、パッキン３０は、口部頂面Ｃ3に接触可能な環状壁部３１と、該環状壁部３１の内周縁から垂下し、口部Ｃ1に締め代なしに挿入される環状足部３２と、該環状足部３２の上端内周縁を閉塞する頂壁部３３と、環状足部３２に形成され、蓋体２０の天壁部２２に向けて開口する環状凹溝３４と、を有している。
【００１９】
蓋体２０の天壁部２２には、図３〜図５に示すように、口部Ｃ1への蓋体２０の装着に伴い、パッキン３０の環状凹溝３４の外周側側面３４ａを圧接して、環状足部３２に口部Ｃ1に対する締め代を生じさせる環状中足部２３が垂設されている。
【００２０】
また、環状凹溝３４の外周側側面３４ａは、蓋体２０の天壁部２２に向かって径方向外側に傾斜する凹溝側テーパ部３４ｂを有し、環状中足部２３の外周側側面２３ａは、蓋体２０の天壁部２２に向かって径方向外側に傾斜する中足側テーパ部２３ｂを有している。そして、中足側テーパ部２３ｂは、口部Ｃ1への蓋体２０の装着に伴い、凹溝側テーパ部３４ｂに接触することで、環状足部３２に口部Ｃ1に対する締め代を生じさせるようになっている。
【００２１】
また、環状中足部２３の内周側側面には、環状凹溝３４の内周側側面に形成された凹溝側環状突起３４ｃと抜け止め可能に係合する中足側環状突起２３ｃが形成されている。
【００２２】
また、蓋体２０の筒状外壁部２１の内周面には、雌ねじ部２１ａと天壁部２２との間に、パッキン３０の環状壁部３１の外周端部と抜け止め可能に係合する外壁側環状突起２１ｂが形成されており、環状壁部３１の外周端部と外壁側環状突起２１ｂとの間には、パッキン３０の上面と、蓋体２０の天壁部２２の底面との間の空気を通過させる空気抜き開口部ｈが形成されている。
【００２３】
さらに、パッキン３０の環状壁部３１の底面には、口部頂面Ｃ3に気密に接触する環状の環状壁側封止突起３１ａが形成されており、蓋体２０の天壁部２２の底面には、パッキン３０の環状壁部３１の上面に気密に接触する環状の天壁側封止突起２２ａが形成されている。
【００２４】
かかる構成になる本実施形態に係る容器用キャップ１によれば、容器Ｃの口部Ｃ1に対する蓋体２０の装着時、特に製造工程でのキャッピング時においては、図３に示したように、まず、パッキン３０の環状足部３２が容器Ｃの口部Ｃ1に締め代なしに挿入された後に、口部Ｃ1に対する蓋体２０の筒状外壁部２１の装着が進行されることになる。
【００２５】
該装着の進行に際しては、図３に示した状態から、図４に示したような、蓋体２０の環状中足部２３の外周側側面２３ａがパッキン３０の環状凹溝３４の外周側側面３４ａに接触する状態となるまでは、蓋体２０の回転に伴うパッキン３０の回転の発生を回避することができる。
【００２６】
そして、図４に示したような、環状中足部２３の外周側側面２３ａとパッキン３０の環状凹溝３４の外周側側面３４ａとの接触状態から、図５に示したような装着完了状態となるまでに、環状中足部２３の外周側側面２３ａがパッキン３０の環状凹溝３４の外周側側面３４ａを圧接して、パッキン３０の環状足部３２に口部Ｃ1に対する締め代を生じさせることができる。したがって、パッキン３０の環状足部３２の外周面と容器Ｃの口部Ｃ1内周面との間の擦れの発生を抑制し、その結果、該擦れに起因する粉の発生を抑制しつつ、環状足部３４の外周面と口部Ｃ1内周面とを気密に接触させることができる。
【００２７】
また、環状中足部２３の外周側側面２３ａとパッキン３０の環状凹溝３４の外周側側面３４ａとは、凹溝側テーパ部３４ｂと中足側テーパ部２３ｂとを介して互いに接触するように構成されているため、蓋体２０の装着完了間際に十分な締め代を生じさせることができる。
【００２８】
また、環状壁部３１の外周端部と外壁側環状突起２１ｂとの間には、パッキン３０の上面と、蓋体２０の天壁部２２の底面との間の空気を通過させる空気抜き開口部ｈが形成されているため、蓋体２０の装着完了間際に、パッキン３０の上面と、蓋体２０の天壁部２２の底面との間の空気を空気抜き開口部ｈから逃がすことができ、安定した閉蓋が可能となる。
【００２９】
また、蓋体２０の装着完了後は、環状壁側封止突起３１ａによって、パッキン３０の環状壁部３１の底面と口部頂面Ｃ3の間を封止することができると共に、天壁側封止突起２２ａによって、蓋体２０の天壁部２２の底面とパッキン３０の環状壁部３１の上面の間も封止することができるため、容器用キャップ１の密封性を高めることができる。
【００３０】
さらに、本実施形態に係る容器用キャップ１によれば、蓋体２０の装着時のみならず、開蓋時においても、前述したところと逆の順で作動して、パッキン３０の環状足部３２の外周面と容器Ｃの口部Ｃ1内周面との間の擦れの発生を抑制し、その結果、該擦れに起因する粉の発生を抑制することができる。
【００３１】
また、開蓋後の状態では、図２に示したように、凹溝側環状突起３４ｃと中足側環状突起２３ｃの係合、及びパッキン３０の環状壁部３１の外周端部と外壁側環状突起２１ｂの係合により、効率的にパッキン３０を蓋体２０の内側に抜け止め保持することができる。
【００３２】
前述したところは、本発明の一実施形態を示したにすぎず、特許請求の範囲において、種々の変更を加えてもよいことは言うまでもない。
【符号の説明】
【００３３】
１  容器用キャップ
２０  蓋体
２１  筒状外壁部
２１ａ  雌ねじ部
２１ｂ  外壁側環状突起
２２  天壁部
２２ａ  天壁側封止突起
２３  環状中足部
２３ａ  外周側側面
２３ｂ  中足側テーパ部
２３ｃ  中足側環状突起
３０  パッキン
３１  環状壁部
３１ａ  環状壁側封止突起
３２  環状足部
３３  頂壁部
３４  環状凹溝
３４ａ  外周側側面
３４ｂ  凹溝側テーパ部
３４ｃ  凹溝側環状突起
Ｃ  容器
Ｃ1  口部
Ｃ2  雄ねじ部
Ｃ3  口部頂面
ｈ  空気抜き開口部
【図１】
0006292999.tif 000002
【図２】
0006292999.tif 000003
【図３】
0006292999.tif 000004
【図４】
0006292999.tif 000005
【図５】
0006292999.tif 000006